(57)【要約】【課題】より利便性を高めたサイネージシステム、制御方法、及びプログラムを提供する。【解決手段】サイネージシステムは、表示した情報を共有するように配置された表示装置と、信号を送信する無線通信局と、前記無線通信局からの信号を受信し、操作者の操作に基づいた情報を送信する端末装置と、共有する情報を前記表示装置に表示させるサーバ装置と、を含む。サイネージシステムは、前記表示装置に対応付けて配置された無線通信局が、前記端末装置の通信先を特定するための情報格納位置情報を送信し、前記端末装置が、前記無線通信局から情報格納位置情報を取得して、前記情報格納位置情報により特定される宛先に、当該端末装置の操作者の情報操作に関する要求を送信し、前記端末装置から前記宛先に対して送信された前記情報操作に関する要求を取得して、前記取得した要求に基づいて、前記情報操作に関する処理を実施する制御部を備える。【選択図】図１
2018156191.tif 000002
【特許請求の範囲】
【請求項１】
表示した情報を１又は複数の人が視認することにより、当該情報を共有するように配置された表示装置と、
信号を送信する無線通信局と、
前記無線通信局からの信号を受信し、操作者の操作に基づいた情報を送信する端末装置と、
共有する情報を前記表示装置に表示させるサーバ装置と、を含み、前記サーバ装置が指定するコンテンツを表示装置に表示させるサイネージシステムであって、
前記表示装置に対応付けて配置された無線通信局が、前記端末装置の通信先を特定するための情報格納位置情報を送信し、
前記端末装置が、前記無線通信局から情報格納位置情報を取得して、前記情報格納位置情報により特定される宛先に、当該端末装置の操作者の情報操作に関する要求を送信し、
前記端末装置から前記宛先に対して送信された前記情報操作に関する要求を取得して、前記取得した要求に基づいて、前記情報操作に関する処理を実施する制御部
を備えるサイネージシステム。
【請求項２】
前記制御部は、予め決定された第１識別情報を表示するように前記表示装置の表示を制御して、
前記端末装置は、前記操作者の操作に基づく第１入力識別情報を受け付けて、前記第１入力識別情報に関する情報を、前記情報格納位置情報により特定される宛先に送信し、
前記制御部は、前記表示装置に表示させた第１識別情報に関する情報と前記端末装置から取得した第１入力識別情報に関する情報とを照合し、前記照合の結果により決定される処理を実施する、
請求項１に記載のサイネージシステム。
【請求項３】
前記端末装置は、前記操作者の操作に基づく第１入力識別情報と第２入力識別情報とを受け付けて、前記第１入力識別情報に関する情報と前記第２入力識別情報に関する情報とを、前記情報格納位置情報により特定される宛先に送信し、
前記制御部は、前記表示装置に表示させた第１識別情報に関する情報と前記第１入力識別情報に関する情報とを照合し、前記照合の結果と前記第２入力識別情報に関する情報とにより決定される処理を実施する、
請求項１に記載のサイネージシステム。
【請求項４】
前記制御部は、前記照合の結果に従い、前記表示装置に表示させていたコンテンツを、前記端末装置から閲覧可能にする、
請求項３に記載のサイネージシステム。
【請求項５】
前記制御部は、前記照合の結果に従い、前記表示装置に表示させていたコンテンツを、前記第２入力識別情報に関する情報に基づいて特定される記憶領域に格納するように制御する、
請求項３に記載のサイネージシステム。
【請求項６】
前記端末装置は、共有するための共有情報を、前記情報格納位置情報により特定される宛先に送信し、
前記制御部は、前記照合の結果に従い、前記端末装置から送信された前記共有情報を取得して、前記情報格納位置情報に基づいて特定される記憶領域に、前記共有情報を格納するように制御する、
請求項３から請求項５の何れか１項に記載のサイネージシステム。
【請求項７】
前記端末装置は、共有するための共有情報を、前記情報格納位置情報により特定される宛先に送信し、
前記制御部は、前記照合の結果に従い、前記端末装置から送信された前記共有情報を取得して、前記第２入力識別情報に関する情報に基づいて特定される記憶領域に、前記共有情報を格納するように制御する、
請求項３から請求項５の何れか１項に記載のサイネージシステム。
【請求項８】
前記制御部は、前記取得した共有情報を前記コンテンツに追加する、
請求項６又は請求項７に記載のサイネージシステム。
【請求項９】
表示した情報を１又は複数の人が視認することにより、当該情報を共有するように配置された表示装置と、
信号を送信する無線通信局と、
前記無線通信局からの信号を受信し、操作者の操作に基づいた情報を送信する端末装置と、
共有する情報を前記表示装置に表示させるサーバ装置と、を含み、前記サーバ装置が指定するコンテンツを表示装置に表示させるサイネージシステムの制御方法であって、
前記表示装置に対応付けて配置された無線通信局が、前記端末装置の通信先を特定するための情報格納位置情報を送信し、
前記端末装置が、前記無線通信局から情報格納位置情報を取得して、前記情報格納位置情報により特定される宛先に、当該端末装置の操作者の情報操作に関する要求を送信し、
前記端末装置から前記宛先に対して送信された前記情報操作に関する要求を取得して、前記取得した要求に基づいて、前記情報操作に関する処理を実施するステップ
を含むサイネージシステムの制御方法。
【請求項１０】
表示した情報を１又は複数の人が視認することにより、当該情報を共有するように配置された表示装置と、
信号を送信する無線通信局と、
前記無線通信局からの信号を受信し、操作者の操作に基づいた情報を送信する端末装置と、
共有する情報を前記表示装置に表示させるサーバ装置と、を含み、前記サーバ装置が指定するコンテンツを表示装置に表示させるサイネージシステムにおいて、
前記表示装置に対応付けて配置された無線通信局が、前記端末装置の通信先を特定するための情報格納位置情報を送信し、
前記端末装置が、前記無線通信局から情報格納位置情報を取得して、前記情報格納位置情報により特定される宛先に、当該端末装置の操作者の情報操作に関する要求を送信し、
前記端末装置から前記宛先に対して送信された前記情報操作に関する要求を取得して、前記取得した要求に基づいて、前記情報操作に関する処理を実施するステップ
をサイネージシステムのコンピュータに実施させるためのプログラム。
【発明の詳細な説明】
【技術分野】
【０００１】
本発明は、サイネージシステム、制御方法、及びプログラムに関する。
【背景技術】
【０００２】
１又は複数の表示装置を所定の位置に配備しておき、不特定多数の閲覧者に対し、一斉で情報を提供するサイネージシステムが知られている。このようなサイネージシステムであれば、閲覧者は、自ら情報を取捨選択しなくても、サイネージシステムからの情報を取得することができる。
【０００３】
また、近年では、インタラクティブな手順を有しているサイネージシステムが知られている。インタラクティブな手順でサイネージシステムを制御することにより、閲覧者の属性に合わせたコンテンツを配信することや、コンテンツの番組リストに基づいて閲覧者が選択したコンテンツを、最寄りの表示装置に提供することを可能にするシステムが開示されている。
【先行技術文献】
【特許文献】
【０００４】
【特許文献１】特開２００９−１６３７１５号公報
【特許文献２】特開２０１４−１７５８１号公報
【発明の概要】
【発明が解決しようとする課題】
【０００５】
しかしながら、既知のサイネージシステムによれば、サイネージシステムが決定したコンテンツを表示装置に表示して、そのコンテンツを閲覧者に提供することができるが、閲覧者が有している属人的な知識や情報を、サイネージシステムにコンテンツとして提供することができない。
【０００６】
本発明が解決しようとする課題は、より利便性を高めたサイネージシステム、制御方法、及びプログラムを提供することにある。
【課題を解決するための手段】
【０００７】
（１）本発明の一態様のサイネージシステムは、表示した情報を１又は複数の人が視認することにより、当該情報を共有するように配置された表示装置と、信号を送信する無線通信局と、前記無線通信局からの信号を受信し、操作者の操作に基づいた情報を送信する端末装置と、共有する情報を前記表示装置に表示させるサーバ装置と、を含み、前記サーバ装置が指定するコンテンツを表示装置に表示させるサイネージシステムであって、前記表示装置に対応付けて配置された無線通信局が、前記端末装置の通信先を特定するための情報格納位置情報を送信し、前記端末装置が、前記無線通信局から情報格納位置情報を取得して、前記情報格納位置情報により特定される宛先に、当該端末装置の操作者の情報操作に関する要求を送信し、前記端末装置から前記宛先に対して送信された前記情報操作に関する要求を取得して、前記取得した要求に基づいて、前記情報操作に関する処理を実施する制御部を備えるサイネージシステムである。
【０００８】
（２）また、上記のサイネージシステムにおいて、前記制御部は、予め決定された第１識別情報を表示するように前記表示装置の表示を制御して、前記端末装置は、前記操作者の操作に基づく第１入力識別情報を受け付けて、前記第１入力識別情報に関する情報を、前記情報格納位置情報により特定される宛先に送信し、前記制御部は、前記表示装置に表示させた第１識別情報に関する情報と前記端末装置から取得した第１入力識別情報に関する情報とを照合し、前記照合の結果により決定される処理を実施する。
【０００９】
（３）また、上記のサイネージシステムにおいて、前記端末装置は、前記操作者の操作に基づく第１入力識別情報と第２入力識別情報とを受け付けて、前記第１入力識別情報に関する情報と前記第２入力識別情報に関する情報とを、前記情報格納位置情報により特定される宛先に送信し、前記制御部は、前記表示装置に表示させた第１識別情報に関する情報と前記第１入力識別情報に関する情報とを照合し、前記照合の結果と前記第２入力識別情報に関する情報とにより決定される処理を実施する。
【００１０】
（４）また、上記のサイネージシステムにおいて、前記制御部は、前記照合の結果に従い、前記表示装置に表示させていたコンテンツを、前記端末装置から閲覧可能にする。
【００１１】
（５）また、上記のサイネージシステムにおいて、前記制御部は、前記照合の結果に従い、前記表示装置に表示させていたコンテンツを、前記第２入力識別情報に関する情報に基づいて特定される記憶領域に格納するように制御する。
【００１２】
（６）また、上記のサイネージシステムにおいて、前記端末装置は、共有するための共有情報を、前記情報格納位置情報により特定される宛先に送信し、前記制御部は、前記照合の結果に従い、前記端末装置から送信された前記共有情報を取得して、前記情報格納位置情報に基づいて特定される記憶領域に、前記共有情報を格納するように制御する。
【００１３】
（７）また、上記のサイネージシステムにおいて、前記端末装置は、共有するための共有情報を、前記情報格納位置情報により特定される宛先に送信し、前記制御部は、前記照合の結果に従い、前記端末装置から送信された前記共有情報を取得して、前記第２入力識別情報に関する情報に基づいて特定される記憶領域に、前記共有情報を格納するように制御する。
【００１４】
（８）また、上記のサイネージシステムにおいて、前記制御部は、前記取得した共有情報を前記コンテンツに追加する。
【００１５】
（９）また、本発明の一態様のサイネージシステムの制御方法は、表示した情報を１又は複数の人が視認することにより、当該情報を共有するように配置された表示装置と、信号を送信する無線通信局と、前記無線通信局からの信号を受信し、操作者の操作に基づいた情報を送信する端末装置と、共有する情報を前記表示装置に表示させるサーバ装置と、を含み、前記サーバ装置が指定するコンテンツを表示装置に表示させるサイネージシステムの制御方法であって、前記表示装置に対応付けて配置された無線通信局が、前記端末装置の通信先を特定するための情報格納位置情報を送信し、前記端末装置が、前記無線通信局から情報格納位置情報を取得して、前記情報格納位置情報により特定される宛先に、当該端末装置の操作者の情報操作に関する要求を送信し、前記端末装置から前記宛先に対して送信された前記情報操作に関する要求を取得して、前記取得した要求に基づいて、前記情報操作に関する処理を実施するステップを含むサイネージシステムの制御方法である。
【００１６】
（１０）また、本発明の一態様のプログラムは、表示した情報を１又は  表示した情報を１又は複数の人が視認することにより、当該情報を共有するように配置された表示装置と、信号を送信する無線通信局と、前記無線通信局からの信号を受信し、操作者の操作に基づいた情報を送信する端末装置と、共有する情報を前記表示装置に表示させるサーバ装置と、を含み、前記サーバ装置が指定するコンテンツを表示装置に表示させるサイネージシステムにおいて、前記表示装置に対応付けて配置された無線通信局が、前記端末装置の通信先を特定するための情報格納位置情報を送信し、前記端末装置が、前記無線通信局から情報格納位置情報を取得して、前記情報格納位置情報により特定される宛先に、当該端末装置の操作者の情報操作に関する要求を送信し、前記端末装置から前記宛先に対して送信された前記情報操作に関する要求を取得して、前記取得した要求に基づいて、前記情報操作に関する処理を実施するステップをサイネージシステムのコンピュータに実施させるためのプログラムである。
【発明の効果】
【００１７】
本発明によれば、より利便性を高めたサイネージシステム、制御方法、及びプログラムを提供できる。
【図面の簡単な説明】
【００１８】
【図１】本発明の実施形態に係るサイネージシステムの概要を説明するための図である。
【図２】実施形態に係るサイネージシステムの構成図である。
【図３】実施形態のサーバ装置における端末装置からの要求に対する処理の手順を示すフローチャートである。
【図４Ａ】実施形態の端末装置がサーバ装置と通信するまでの手順を示す図である。
【図４Ｂ】実施形態の端末装置がサーバ装置と通信するまでの操作を説明するための図である。
【図５】実施形態のコンテンツを保存するための処理の手順を示すフローチャートである。
【図６】実施形態のユーザＵの要求に応じて、端末装置からデータを保存するための処理の手順を示す図である。
【図７】実施形態における投稿原稿の保存要求に対してサーバ装置４０が実施するデータの格納処理の流れを示すフローチャートである。
【図８】実施形態の投稿原稿の保存要求に対してサーバ装置が実施する処理を説明するための図である。
【発明を実施するための形態】
【００１９】
以下、本発明の実施形態のサイネージシステム、情報共有方法、及びプログラムについて、添付図面を参照して説明する。
【００２０】
（第１の実施形態）
図１は、本発明の実施形態に係るサイネージシステムの概要を説明するための図である。図２は、本発明の実施形態に係るサイネージシステムの構成図である。
【００２１】
［サイネージシステム］
サイネージシステム１は、サイネージ端末１０（表示装置）と、ビーコン２０（無線通信装置）と、端末装置３０と、サーバ装置４０とを含む。サイネージ端末１０と、端末装置３０のそれぞれは、１又は複数の何れであってもよい。サイネージ端末１０−１、１０−２は、サイネージ端末１０の一例であり、その個数に制限はない。サイネージ端末１０−１とサイネージ端末１０−２を区別なく説明する場合には、単に、サイネージ端末１０という。なお、ビーコン２０−１、２０−２についても、サイネージ端末１０と同様である。
【００２２】
サイネージ端末１０と、端末装置３０と、サーバ装置４０とは、ネットワークを介して接続されている。端末装置３０はネットワークを介してサーバ装置４０と接続される。この端末装置３０は、無線通信によりネットワークに接続される。
【００２３】
サイネージ端末１０は、図２に示すように通信部１１と、記憶部１２と、制御部１３と、表示部１４と、を備える。サイネージ端末１０は、通信部１１と、記憶部１２と、制御部１３と、表示部１４とが、１つの筐体内に設けられていてもよく、その一部が異なる筐体に設けられていてもよい。例えば、サイネージ端末１０の通信部１１と、記憶部１２と、制御部１３とが、ＣＰＵ（Central Processing Unit）、ＲＡＭ（Random Access Memory）、ＨＤＤ（hard disk drive）などを含むコンピュータとして構成されていてもよい。
【００２４】
通信部１１は、ネットワークに接続され、制御部１３の制御によりサーバ装置４０と通信する。
【００２５】
記憶部１２は、表示部１４に表示する情報等の他、制御部１３を機能させるためのプログラム等を格納する。
【００２６】
制御部１３は、通信部１１を制御してサーバ装置４０と通信する。制御部１３は、サーバ装置４０から得たコンテンツ等の情報を、表示部１４に表示するように制御する。制御部１３は、サーバ装置４０から得た情報を、所定の順に切り替えて表示部１４に表示するように制御してもよい。
【００２７】
表示部１４は、例えば、比較的大画面の液晶ディスプレイなどを含む。本実施形態のサイネージ端末１０は、視聴者が直接触れて操作するための機能を有さないものであってよい。表示部１４には、例えば、制御部１３の制御により、複数のコンテンツが順次時系列で切替わりながら表示される。例えば、各コンテンツは、一定時間おきに順に遷移表示され、それが繰り返されて表示される。
【００２８】
例えば、本実施形態のサイネージ端末１０には、コンテンツと、その一部に識別情報とが表示されてもよい。識別情報は、文字、数字、図形、絵柄などの種類を含み、１又は複数種類の組み合わせとして構成されていてもよい。この識別情報は、コンテンツとともに順次時系列で切替わり表示されてもよく、コンテンツの切替わりとは独立して表示されてもよい。
【００２９】
サイネージシステム１は、この識別情報を、表示された識別情報に対応するコンテンツを識別するための情報として利用してもよい。さらに、サイネージシステム１は、この識別情報を、当該コンテンツが表示されたサイネージ端末１０が存在すること、識別情報が表示されたサイネージ端末１０の近傍に視聴者がいること、表示された識別情報を視聴者が読み取ったこと、等を検証するための情報として利用してもよい。
【００３０】
ビーコン２０は、所定の信号強度の無線信号を定期的に送信する。ビーコン２０が据えられた位置を基準とし、その信号強度等により定まる範囲ＳＡ（ＳＡ−１、ＳＡ−２等）内であれば、受信可能であると仮定する。
【００３１】
ビーコン２０は、上記の無線信号を利用して、端末装置３０がサーバ装置４０を宛先とするための宛先情報等を送信する。この宛先情報は、サーバ装置４０を識別可能なものであってよい。例えば、ビーコン２０は、ＢＬＥ（Bluetooth（登録商標） Low Energy）規格に準拠した無線信号を用いて、ＥＤＤＹＳＴＯＮＥ（登録商標）規格等のプロトコルに準じて通信する。ＥＤＤＹＳＴＯＮＥ規格等のプロトコルは、通信の宛先情報の一つであるＵＲＬ（Uniform Resource Locator）等をその情報に含めることができる。なお、ＵＲＬは、ＲＦＣ（Request for Comments）３９８６等で規定されるように、リソースの位置や通信先を特定するためのものであってもよく、その特定先を示すＩＰアドレスなどを含めたものであってもよい。なお、ビーコン２０は、上記のＵＲＬに代えて、ＵＲＩ（Uniform Resource Identifier）を送信するものであってもよい。
【００３２】
端末装置３０は、通信部３１と、記憶部３２と、制御部３３と、表示操作部３４と、無線通信部３５と、を備える。例えば、端末装置３０は、パーソナルコンピュータ、スマートホン、タブレット型端末等のコンピュータである。
【００３３】
通信部３１は、無線通信回線によりネットワークに接続され、制御部３３の制御によりサーバ装置４０と通信する。
【００３４】
記憶部３２は、ビーコン２０から受信した情報、表示操作部３４に表示する情報、表示操作部３４により検出した操作に関する情報、等の他、制御部３３を機能させるためのプログラム（ＯＳ（operating system）、アプリケーションソフト）等を格納する。
【００３５】
制御部３３は、通信部３１を制御してサーバ装置４０と通信する。制御部３３は、サーバ装置４０から得た情報を、表示操作部３４の表示部に表示するように制御する。制御部３３は、表示操作部３４によって検出した情報をサーバ装置４０に通知する。
【００３６】
表示操作部３４は、表示部としての液晶ディスプレイなどを備えており、操作を受け付けるタッチパネルとして形成されていてもよい。
【００３７】
無線通信部３５は、ＢＬＥ規格に準拠した無線信号を用いて、ＥＤＤＹＳＴＯＮＥ規格等のプロトコルに準じて通信する。例えば、無線通信部３５は、ビーコン２０が送信したＵＲＩ等を含む情報を受信する。それを受け、制御部３３は、ビーコン２０から受信したＵＲＩ等を含む情報を用いて、サーバ装置４０と通信する。
【００３８】
例えば、制御部３３は、ビーコン２０から受信したＵＲＩを通信の宛先として指定するメッセージを生成して、それをネットワークに送信する。制御部３３は、ネットワークに設けられたＤＮＳ（Domain Name System）等から、ＵＲＩのリソースに対応するＩＰアドレスを得て、そのＩＰアドレスを宛先アドレスに指定したパケットを生成し、サーバ装置４０と通信する。例えば、端末装置３０は、ＯＳ、又は、アプリケーションソフトにより、ＨＴＴＰ（Hypertext Transfer Protocol）等のプロトコルを利用して、サーバ装置４０等に格納されたコンテンツを閲覧すること等ができる。例えば、そのコンテンツは、ＨＴＭＬ（HyperText Markup Language）等で記述されたもの等である。端末装置３０がコンテンツを取得する手法は、上記の他、一般的な手法を適用してもよい。
【００３９】
なお、ＵＲＩのリソースを指定する文字数が、プロトコルで規定された文字数を超える場合には、サイネージシステム１は、ＵＲＩの短縮サービスを利用してもよい。例えば、規定された文字数を超えるリソースを指定する場合であっても、上記のＵＲＩの短縮サービスを利用することにより、ビーコン２０は、規定の文字数の範囲でリソースを特定するための情報を通知することが可能になる。ＵＲＩの短縮サービスは、既知の手法（サービス）を適用してもよく、例えば、サーバ装置４０又は他のサーバ装置（不図示）が同サービスを提供してもよい。
【００４０】
サーバ装置４０は、通信部４１と、記憶部４２と、制御部４３とを備える。
【００４１】
通信部４１は、ネットワークに接続され、制御部４３の制御によりサイネージ端末１０と端末装置３０と通信する。
【００４２】
記憶部４２は、表示操作部３４に表示する情報、端末装置３０から得た情報を照合するための識別情報、等の他、制御部４３を機能させるためのプログラム等を格納する。例えば、表示操作部３４に表示する情報は、テキスト情報、静止画像（以下、単に「画像」という。）、動画像（以下、単に「動画」という。）、等が適宜組み合されたものである。
【００４３】
制御部４３は、通信部４１を制御してサイネージ端末１０と端末装置３０と通信する。制御部４３は、共有するための情報を、サイネージ端末１０の表示部に表示するように制御する。制御部４３は、端末装置３０から得た情報に基づいて、サイネージ端末１０に表示する情報を調整する。その詳細については後述する。
【００４４】
上記のように構成されるサイネージシステム１の各装置は、例えば、下記のように配置される。
【００４５】
図１に示すようサイネージ端末１０のそれぞれは、１又は複数の人がそれぞれ視認可能な位置に配置される。例えば、施設の通路、講堂、会議室、競技場などに設けられた比較的サイズが大きな表示部を含むものである。
【００４６】
ビーコン２０は、サイネージ端末１０の比較的近傍に配置される。少なくとも、サイネージ端末１０が表示する情報を視認可能な位置で、かつ、端末装置３０がビーコン２０の無線信号を受信できるような位置に、ビーコン２０が配置される。
【００４７】
端末装置３０は、例えば、ユーザによって携行される。ユーザがサイネージ端末１０の比較的近傍に近づくことにより、端末装置３０は、ビーコン２０からの信号を受信可能になる。
【００４８】
サーバ装置４０は、ネットワークに接続されていればよく、配置する位置に制限されることはなく、指定するコンテンツをサイネージ端末１０に表示させる。
【００４９】
なお、端末装置３０は、上記のようにユーザの位置により、ビーコン２０からの無線信号の受信が制限される。端末装置３０は、ビーコン２０からの無線信号を受信することに起因して、ユーザの操作に基づいた情報をサーバ装置４０宛に送信する。ユーザの操作に基づいた情報には、後述するように、例えば、コンテンツ、パスコード、ユーザＩＤなどが含まれる。
【００５０】
図３は、実施形態のサーバ装置における端末装置からの要求に対する処理の手順を示すフローチャートである。
【００５１】
まず、制御部４３は、サイネージ端末１０の識別情報に基づいて、そのサイネージ端末１０に表示させるためのパスコードを、そのサイネージ端末１０に配信する（Ｓ１０）。なお、この段階のサイネージ端末１０は、コンテンツが表示されていない制御状態に制御されていてもよく、下記の処理で特定するコンテンツ以外のコンテンツが表示される制御状態に制御されていてもよい。
次に、制御部４３は、ログイン要求が有るか否かを判定する（Ｓ２０）。
【００５２】
Ｓ２０の判定により、ログイン要求がある場合には、制御部４３は、端末装置３０にログイン画面を配信する（Ｓ２４）。
次に、制御部４３は、端末装置３０からパスコードと識別情報とを取得する（Ｓ２６）。
次に、制御部４３は、識別情報とパスコードの何れか又は両方に基づいた照合を実施して、その照合が成功したか否かを判定する（Ｓ２８）。
【００５３】
Ｓ２８の判定により、照合が成功した場合には、制御部４３は、１又は複数の処理のうちから、対象の処理をユーザに選択させるためのメニュー画面を、識別情報に基づいて選択する（Ｓ３０）。
次に、制御部４３は、選択したメニュー画面を、端末装置３０に配信する（Ｓ３２）。
次に、制御部４３は、端末装置３０からメニューの選択結果を取得する（Ｓ３４）。
次に、制御部４３は、メニューの選択結果に基づき選択された処理を実施して（Ｓ４０）、この図に示される一連の処理を終える。
【００５４】
Ｓ２８の判定により、照合が成功しなかった場合には、制御部４３は、この図に示される一連の処理を終える。
【００５５】
なお、Ｓ２０の判定により、ログイン要求がない場合には、制御部４３は、ログイン要求が無い状態の継続時間について判定（Ｓ２２）し、前回ログイン要求を検出してからの継続時間が所定値を超過した状態（タイムアウト状態）になるまでＳ２０の判定を繰り返す。上記のタイムアウト状態になった場合には、制御部４３は、この図に示される一連の処理を終える。
【００５６】
図４Ａは、実施形態の端末装置３０がサーバ装置４０と通信するまでの手順を示す図である。図４Ｂは、実施形態の端末装置３０がサーバ装置４０と通信するまでの操作を説明するための図である。図４Ｂ（ａ）から（ｄ）に示す図は、端末装置３０に表示された画面の例である。
【００５７】
ビーコン２０は、前記端末装置３０の通信先を特定するための情報格納位置情報を、後述するサーバ装置４０の処理とは独立に、予め定められた周期で送信する（Ｂ２、Ｂ４、Ｂ６等）。
【００５８】
サーバ装置４０は、サイネージ端末１０に配信するコンテンツとパスコードを、予め表示用コンテンツに追加する。なお、サーバ装置４０は、コンテンツとパスコードの配信を、サーバ装置４０主導（ＰＵＳＨ型）で実施してもよく、或いは、サイネージ端末１０主導（ＰＵＬＬ型）で実施してもよい。以下、ＰＵＳＨ型の事例について説明する。
【００５９】
例えば、サーバ装置４０は、サイネージ端末１０にパスコードを配信する（Ｓ１０）。
【００６０】
次に、端末装置３０を携行するユーザＵがサイネージ端末１０に近接することにより、端末装置３０は、ビーコン２０が送信した情報格納位置情報（ＵＲＩ）を受信する（Ｂ４）。端末装置３０は、画像３１０を、その表示部に表示して、ＵＲＩを受信したことを示す（図４Ｂ（ａ））。
【００６１】
ユーザＵは、ＵＲＩを受信したことの表示を確認して、ブラウザ等の閲覧ソフトウエアの起動要求の操作を行い、端末装置３０において閲覧ソフトウエアを実行させる。端末装置３０は、通信先を指定する情報としてＵＲＩを利用して、サーバ装置４０に対してログイン画面のデータを要求する。
【００６２】
サーバ装置４０は、上記の要求を受け（Ｓ２０）、ログイン画面のデータを端末装置３０に送信する（Ｓ２４）。端末装置３０は、サーバ装置４０からログイン画面のデータを取得して、そのログイン画面を示す画像３２０を表示する（図４Ｂ（ｂ））。
【００６３】
ここで、ユーザＵは、予め割り付けられている識別情報を、図４Ｂ（ｂ）に示すログイン画面の識別情報欄（ＩＤ欄）に入力する。ユーザＵは、サイネージ端末１０に表示されているパスコードを確認して、ログイン画面のパスコード欄（ＰＷ欄）に入力する。端末装置３０は、入力された識別情報とパスコードとを、サーバ装置４０に通知する。
【００６４】
サーバ装置４０は、端末装置３０から通知された識別情報とパスコードとを受け（Ｓ２６）、識別情報とパスコードの何れか又は両方に基づいて、照合する（Ｓ２８）。
【００６５】
サーバ装置４０は、照合が成功した場合には、提供するサービスに対応する１又は複数の処理のうちから、ユーザＵに対する対象の処理としてユーザに選択させるためのメニュー画面を、識別情報に基づいて選択し（Ｓ３０）、選択したメニュー表示画面のデータを端末装置３０宛に配信する（Ｓ３２）。
【００６６】
端末装置３０は、メニュー表示画面として、ユーザＵに選択させるためのメニューを含む画像３３０（図４Ｂ（ｃ１））又は画像３４０（図４Ｂ（ｃ２））を表示する。ユーザＵは、メニューを確認して、端末装置３０におけるメニュー表示画面から、何れかのメニューを選択する。端末装置３０は、それをサーバ装置４０に通知する。
【００６７】
次に、サーバ装置４０は、端末装置３０からメニューの選択結果を取得して（Ｓ３４）、メニューの選択結果に基づき選択された下記するような処理を実施する（Ｓ４０）。
【００６８】
以下、幾つかの適用例について説明する。
【００６９】
［シナリオ１］
まず、サイネージ端末１０に表示されているコンテンツを、特定のユーザＵが後ほど利用するために格納する場合について説明する。
【００７０】
図５は、実施形態のコンテンツを端末装置３０に保存（格納）するための処理の手順を示すフローチャートである。なお、制御部４３は、コンテンツを格納することを要求する処理として、Ｓ３４のメニューの選択結果に基づき以下の処理をする。下記の処理は、コンテンツを端末装置３０に保存（格納）する事例の一例である。
【００７１】
まず、制御部４３は、サイネージ端末１０に表示させるために配信したコンテンツ、つまりサイネージ端末１０が配信中のコンテンツをクリップする（ＳＡ４２）。例えば、サイネージ端末１０が配信中のコンテンツは、サーバ装置４０がサイネージ端末１０に配信を指示したコンテンツに関する配信履歴情報として記憶部４２などに格納されているものであってもよい。
【００７２】
次に、制御部４３は、端末装置３０から取得した識別情報に基づいて、クリップしたコンテンツに対応するラベル情報、配信時刻情報などをキーにして、端末装置３０宛に配信するためのコンテンツを抽出する（ＳＡ４４）。なお、ラベル情報及び配信時刻情報の詳細については後述する。
【００７３】
次に、制御部４３は、抽出したコンテンツを所定の記憶領域に格納（ＳＡ４６）することにより、クリップしたコンテンツとして端末装置３０への配信を可能にして、この図に示される一連の処理を終える。なお、クリップしたコンテンツは、サイネージ端末１０に表示させるために配信したコンテンツそのものであってもよく、サイネージ端末１０に表示させるために配信したコンテンツから変換されたものであってもよい。例えば、動画情報として配信されているコンテンツであれば、端末装置３０で利用するのに適した解像度に、その解像度を調整（変換）したものであってもよく、時間軸方向に情報を間引いて静止画に変換したものであってもよい。画像の符号化方式は一般に知られている各種方式を選択することができる。なお、制御部４３は、コンテンツに関する情報を、特定の画像等のデータと、その画像等のデータに対応するｈｔｍｌ（HyperText Markup Language）などで記述されたデータを含むものとして生成してもよい。上記の形式でコンテンツに関する情報を管理することにより、単独の画像情報として利用することの他、ブラウザ等の閲覧ソフトを利用して閲覧することも可能になる。
【００７４】
なお、上記の「クリップする」とは、例えば、そのコンテンツが配信されている時間や場所とは異なる時間や場所で利用できるように、ユーザＵの行為に起因して、そのコンテンツを選択するための行為のことである。制御部４３は、この「クリップする」行為が為されたことを検出すると、サイネージ端末１０が配信中のコンテンツを選択して、そのコンテンツに関する情報を所定の記憶部に保持させる。
【００７５】
また、上記の「所定の記憶部」は、例えば、端末装置３０が備える記憶部、又は、端末装置３０に搭載されるＩＣカード、ＵＳＢメモリ等の外部記憶媒体の記憶部などであってもよく、或いは、ユーザＵが利用権を有するクラウド環境に置かれた記憶部であってもよい。上記のように、コンテンツに関する情報を格納する記憶領域は、端末装置３０側の記憶部に制限されず、サーバ装置４０が備える記憶部４２などの記憶領域であってもよい。上記のように、上記の「所定の記憶領域」として、ユーザＵの権限で利用することが容易な記憶領域を確保するとよい。この場合、必要な記憶容量を満たす容量の記憶領域を確保することが容易に実現することができる。ユーザＵは、端末装置３０を操作することで、上記の「所定の記憶領域」に書き込まれたコンテンツに関する情報を、用意した記憶容量の範囲で閲覧することができる。
例えば、上記のコンテンツは、配信を予定する素材のデータをファイル化したものであってもよい。上記のラベル情報には、上記のファイルを識別するための識別情報を含むもので合ってもよい。このラベル情報に含まれる識別情報を利用して、コンテンツを抽出するとよい。
【００７６】
また、「配信時刻情報」とは、例えば、サーバ装置４０が、サイネージ端末１０にコンテンツを送付した時刻、サイネージ端末１０にコンテンツの配信を指示した時刻等のサーバ装置４０が管理する時刻に基づいた情報であってよい。
或いは、「配信時刻情報」とは、例えば、サイネージ端末１０が管理する時刻に基づいた情報であってもよい。例えば、サイネージ端末１０は、サーバ装置４０から指示されたコンテンツを表示した時刻の情報を履歴情報に追加して記録する。このようなサイネージ端末１０は、特定の時刻を指定されれば、その時刻に表示していたコンテンツを特定することができる。サーバ装置４０は、所望の時刻をサイネージ端末１０に送り、その時刻に表示していたコンテンツの識別情報を、そのサイネージ端末１０から取得することにより、所望のコンテンツを抽出するための識別情報を得ることができる。
なお、上記の配信時刻情報は、絶対時刻に基づいたものであってもよく、絶対時刻に対応付けられた情報であってもよく、また、基準の時刻からの経過時間等であってもよい。
【００７７】
なお、制御部４３は、所定の記憶部にコンテンツに関するデータを、端末装置３０の記憶部等に書き込ませる前に、サーバ装置４０の記憶部４２等に一時的に保持するための処理を実施してもよい。
【００７８】
上記のようにサイネージ端末１０に表示されているコンテンツが、特定のユーザＵの要求に応じて、記憶部４２等に一時的に保持されることにより、ユーザＵが後ほどそのコンテンツを利用することが可能になる。このように、簡易な操作を行うだけで、サイネージ端末１０に表示されている情報を、属人的な目的で利用することが可能になる。
【００７９】
［シナリオ２］
次に、ユーザＵが保有しているコンテンツを、共有するためのコンテンツとして格納する場合について説明する。
【００８０】
図６は、実施形態のユーザＵの要求に応じて、端末装置３０からデータを保存するための処理の手順を示す図である。同図は、前述の図と共通する部分の一部を省略して示し、相違する部分を中心に示すものである。
【００８１】
サーバ装置４０は、照合（Ｓ２８（図３、図４（ａ）））が成功した場合、例えば、下記の処理をする。
サーバ装置４０は、ユーザＵからの「保存」要求を許可すべきユーザＵであることを検出して、ユーザＵに適したメニュー画面を選択する（Ｓ３０）。例えば、メニュー画面に示すメニューは、ユーザＵ等に提供することが可能な１又は複数のサービスのうちから、ユーザＵに適したサービスとして選択されたものである。
サーバ装置４０は、選択されたサービスを、ユーザＵに選択させるメニューとして扱うためのメニュー画面を生成する。そのメニュー画面に示されるメニューには、「保存」というメニューが含まれている。サーバ装置４０は、「保存」をメニューに含む表示画面を、識別情報に基づいて選択し、選択したメニュー表示画面のデータを端末装置３０宛に配信する（Ｓ３２）。端末装置３０は、メニュー表示画面として、ユーザＵに選択させるためのメニュー（「保存」等）を表示する(図４Ｂ（ｃ１）)。
【００８２】
ユーザＵは、端末装置３０におけるメニュー表示画面から、「保存」を選択する操作を行う。端末装置３０は、その操作を検出して、その検出結果をサーバ装置４０に通知する。この操作の検出結果は、メニューの選択結果になる。
【００８３】
次に、サーバ装置４０は、端末装置３０からメニューの選択結果（保存要求）を取得して（Ｓ３４）、メニューの選択結果に基づき選択された「保存要求」に関する処理を実施して（Ｓ４０）、この図に示される一連の処理を終える。
【００８４】
以上に示した処理により、サーバ装置４０は、サイネージ端末１０に表示されているコンテンツについて、ユーザＵの保存要求に関する格納処理を実施することができる。なお、図４Ｂ（ｄ）の画像３５０に示すように、端末装置３０は、上記の格納処理により格納された情報をアクセスして、それを表示させることができる。なお、その表示は、格納後にリアルタイムに表示することを可能にすることの他、その後で表示するようにしてもよい。この処理により、サイネージ端末１０に表示された情報を、容易に格納することができ、更に、サイネージ端末１０に表示されている時刻とは異なる時刻、或いは、そのサイネージ端末１０が配置されている場所とは異なる場所で、格納された情報を必要に応じて端末装置３０等に表示させることができる。
【００８５】
図７は、実施形態における投稿原稿の保存要求に対してサーバ装置４０が実施するデータの格納処理の流れを示すフローチャートである。図８は、実施形態の投稿原稿の保存要求に対してサーバ装置４０が実施する処理を説明するための図である。図８（ａ）から（ｄ）に示す図は、端末装置３０に表示された画面の例である。例えば、制御部４３は、共有するためのコンテンツの投稿原稿を受け付ける処理として、Ｓ３４のメニューの選択結果に基づき以下の処理をしてもよい。
【００８６】
まず、制御部４３は、投稿原稿の入力画面を画像３６０（例えば、図８（ａ））として示すように、又は、その投稿の目的などを確認するための画面を画像３７０（例えば、図８（ｂ））として示すように、それぞれの画像のデータを端末装置３０に配信する（ＳＢ４１）。
【００８７】
次に、制御部４３は、端末装置３０から、ユーザＵが指定した投稿原稿のデータとその目的情報等を取得して（ＳＢ４２）、投稿原稿のデータに付与するラベル情報を生成する（ＳＢ４３）。
【００８８】
次に、制御部４３は、例えば、図８（ｃ）の画像３８０に示す画面として、投稿原稿のデータの配信先・配信期間を指定するための画面を生成して端末装置３０に配信する。制御部４３は、配信先・配信期間の選択の結果を端末装置３０から取得する（ＳＢ４４）。
【００８９】
次に、制御部４３は、配信用コンテンツを確認するための画面を画像３９０（例えば、図８（ｄ））として端末装置３０に表示させる（ＳＢ４５）。
【００９０】
次に、制御部４３は、端末装置３０からの応答を受け取ると配信用コンテンツを記憶部４２に格納し（ＳＢ４６）、この図に示される一連の処理を終える。
【００９１】
以上に示した処理により、サーバ装置４０は、ユーザＵの投稿原稿の格納要求に関する処理を実施する。
【００９２】
上記の実施形態によれば、サイネージシステム１は、表示した情報を１又は複数の人が視認することにより、当該情報を共有するように配置されたサイネージ端末１０と、信号を送信するビーコン２０と、無線通信局からの信号を受信し、操作者の操作に基づいた情報を送信する端末装置３０と、表示情報をサイネージ端末１０に表示させるサーバ装置４０と、を含み、サーバ装置４０が指定するコンテンツをサイネージ端末１０等の表示装置に表示させる。
【００９３】
例えば、サイネージ端末１０に対応付けて配置されたビーコン２０が、端末装置３０の通信先を特定するための情報格納位置情報（ＵＲＬ等）を送信する。端末装置３０が、ビーコン２０から情報格納位置情報を取得して、その情報格納位置情報により特定される宛先に、当該端末装置３０の操作者（ユーザＵ等）の情報操作に関する要求を送信する。制御部４３は、端末装置３０から、その宛先に対して送信された情報操作に関する要求を取得して、取得した要求に基づいて、情報操作に関する処理を実施する。これにより、サイネージシステム１は、より利便性を高めることができる。
【００９４】
また、サイネージシステム１において、制御部４３は、予め決定されたパスコードＡ（第１識別情報）を表示するように、サイネージ端末１０の表示を制御する。端末装置３０は、操作者の操作に基づくパスコードＢ（第１入力識別情報）を受け付けて、パスコードＢに関する情報を、前記情報格納位置情報により特定される宛先に送信する。制御部４３は、サイネージ端末１０に表示させたパスコードＡに関する情報と端末装置３０から取得したパスコードＢに関する情報とを照合し、前記照合の結果により決定される処理を実施してもよい。これにより、予め決定されたパスコードＡ（第１識別情報）がサイネージ端末１０に表示され、サイネージ端末１０に表示されたパスコードＡを、例えば、端末装置３０とサーバ装置４０との通信を開始するための処理に使用することができる。
【００９５】
また、サイネージシステム１において、端末装置３０は、その操作者の操作に基づくパスコードＢとユーザＩＤＢ（第２入力識別情報）とを受け付けて、パスコードＢに関する情報とユーザＩＤＢに関する情報とを、前記情報格納位置情報により特定される宛先に送信する。制御部４３は、サイネージ端末１０に表示させたパスコードＡに関する情報とパスコードＢに関する情報とを照合し、その照合の結果とユーザＩＤＢに関する情報とにより決定される処理を実施してもよい。これにより、予め決定されたパスコードＡ（第１識別情報）を利用して、サイネージ端末１０の表示を制御することが可能になり、利便性を高めることができる。
【００９６】
また、サイネージシステム１において、制御部４３は、上記の照合の結果に従い、サイネージ端末１０に表示させていたコンテンツを、端末装置３０から閲覧可能にしてもよい。これにより、サイネージ端末１０に表示させていたコンテンツを再利用することが可能になり、利便性を高めることができる。
【００９７】
また、サイネージシステム１において、制御部４３は、上記の照合の結果に従い、サイネージ端末１０に表示させていたコンテンツを、ユーザＩＤＢに関する情報に基づいて特定される記憶領域に格納するように制御してもよい。これにより、サイネージ端末１０に表示させていたコンテンツを、特定のユーザＵが利用することが可能になり、利便性を高めることができる。
【００９８】
また、サイネージシステム１において、端末装置３０は、共有するための共有情報を、前記情報格納位置情報により特定される宛先に送信する。制御部４３は、前記照合の結果に従い、端末装置３０から送信された前記共有情報を取得して、前記情報格納位置情報に基づいて特定される記憶領域に、前記共有情報を格納するように制御してもよい。これにより、共有するための共有情報を、前記情報格納位置情報により特定される記憶領域に格納することができる。
【００９９】
制御部４３は、端末装置３０等から取得した共有情報を、サーバ装置４０が指定する対象のコンテンツに追加してもよい。端末装置３０等から取得した共有情報が、サーバ装置４０が指定する対象のコンテンツに追加されることにより、利便性を高めることができる。
【０１００】
なお、サイネージシステム１は、上記の共有情報を格納するための記憶領域、或いは、上記の「クリップしたコンテンツ」に関する情報の記憶領域として、下記に挙げる領域を適用してもよい。例えば、サイネージシステム１は、端末装置３０の記憶部３２、外部記憶装置(不図示)、又は、他に外部のサーバの記憶領域を利用してもよい。外部のサーバの記憶領域としては、電子メールサービスにおけるメールサーバの記憶領域、ＳＮＳ（Social Network Service）におけるＳＮＳサーバの記憶領域などが挙げられる。サーバ装置４０は、電子メールサービスの特定のアカウント宛に、電子メールの本文或いはそれにファイルを添付して送信して、そのアカウントの記憶領域に格納させたり、又は、ＳＮＳに投稿して、それをＳＮＳサーバの記憶領域に格納させたりたりすることができる。
【０１０１】
なお、サイネージシステム１を実現するためのプログラムをコンピュータ読み取り可能な記録媒体に記録して、この記録媒体に記録されたプログラムをコンピュータシステムに読み込ませ、実行することによりサーバ装置４０が指定する対象のコンテンツに、共有情報を追加するなどの処理動作を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【０１０２】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、ネットワークや通信回線のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０１０３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１０４】
１…サイネージシステム、２…建物、１０…サイネージ端末、１１…通信部、１２…記憶部、１３…制御部、１４…表示部、２０…ビーコン、３０…端末装置、３１…通信部、３２…記憶部、３３…制御部、３４…表示操作部、３５…無線通信部、４０…サーバ装置、４１…通信部、４２…記憶部、４３…制御部
【図１】
2018156191.tif 000003
【図２】
2018156191.tif 000004
【図３】
2018156191.tif 000005
【図４Ａ】
2018156191.tif 000006
【図４Ｂ】
2018156191.tif 000007
【図５】
2018156191.tif 000008
【図６】
2018156191.tif 000009
【図７】
2018156191.tif 000010
【図８】
2018156191.tif 000011